(57)【要約】【課題】農業用又は園芸用として使用されるパイプ支柱の先端に装着する先端具で、簡易な構造で抜け止め機能を備える器具を提供する。【解決手段】適宜な弾性を備えた板部（第一板部材ａ１及び第二板部材ｂ１を交差状に組み合わせる）が放射状に配置され、上方部分にパイプ挿入部１を備え、下方部分は装着対象のパイプ支柱のパイプ厚に対応した段差２１を介して経大とし、下端を尖らした刺入部２を設けたものであって、パイプ挿入部１が、中央側に割り溝孔１１を形成すると共に、外周側を凹凸形状の抜け止め辺１４に形成する。【選択図】図２
2017131113.tif 000002
【特許請求の範囲】
【請求項１】
適宜な弾性を備えた板部が放射状に配置され、上方部分にパイプ挿入部を備え、下方部分は装着対象のパイプ支柱のパイプ厚に対応した段差を介して径大とし、下端を尖らした刺入部を設けたものであって、挿入部が、中央側に割り溝孔を形成すると共に、外周側を凹凸形状の抜け止め辺に形成してなることを特徴とするパイプ支柱用先端具。
【請求項２】
各々パイプ挿入部及び刺入部を備えた第一及び第二の２枚の板部材で構成され、第一板部材に、割り溝孔に連続する受入溝孔を設け、第二板部材には下方端が開口する嵌合溝孔を設け、前記第二部材を第一部材の上方から差し入れて交差状に組み合わせてなる請求項１記載のパイプ支柱用先端具。
【請求項３】
第一板部材と第二板部材を交差状に組み合わせると共に、組み合わせ状態で交差状態を保持する保持部を設けてなる請求項２記載のパイプ支柱用先端具。
【請求項４】
保持部を、第一板部材の受入溝孔の端縁に設けた保持突部と、第二板部材の割り溝孔の下方部分の端縁に設けた保持突部とで構成してなる請求項３記載のパイプ支柱用先端具。
【請求項５】
保持部を、第一板部材及び第二部材の刺入部の両側縁を折曲して形成した保持板部で構成すると共に、前記保持板部が、第一板部材と第二板部材を交差状に組み合わせた際に、角錐状或いは円錐状の先端形状となる請求項３記載のパイプ支柱用先端具。
【請求項６】
保持部を、段差外径に対応する円板に、第一板部材及び第二板部材のパイプ挿入部が挿通される交差長孔を設けた保持円板体で構成し、交差状に組み合わせた第一板部材と第二板部材に挿着してなる請求項３記載のパイプ支柱用先端具。
【発明の詳細な説明】
【技術分野】
【０００１】
本発明は、農業用又は園芸用として使用されるパイプ支柱や、防獣柵構築用として使用されるパイプ支柱等のように、いろいろな目的で土中に差し込んで使用されるパイプ支柱の先端に装着する先端具に関するものである。
【背景技術】
【０００２】
例えばトマト、ナス、キュウリなどの栽培において、茎が倒伏しないように適宜な支柱を添えて、茎を支持するようにしている。また防獣柵の構築等やその他いろいろな箇所で支柱が採用されている。このように支柱として種々の資材が使用されているが、多数の農家ではビニールハウス等から転用できる鋼管や塩ビ管のようなパイプ支柱を使用している。
【０００３】
パイプ支柱の場合は、先端を切り落とした状態のままでは土中への刺突が速やかに行うことができないので、適宜な先端具をパイプ支柱に装着している。先端具としては、パイプ支柱先端に被冠装着するキャップタイプのもの（特許文献１，２）、パイプ先端に挿入装着する差込タイプのもの（特許文献２，３）が知られている。
【先行技術文献】
【特許文献】
【０００４】
【特許文献１】実開昭４９−１６４４３号公報第２図。
【特許文献２】実開平２−１１３９４４号公報。
【特許文献３】実公昭５６−１８２７４号公報。
【発明の概要】
【発明が解決しようとする課題】
【０００５】
キャップタイプの器具も差込みタイプの器具も支柱の抜き差しによってパイプ支柱の先端から容易に離脱しないよう設ける必要がある。例えば前記特許文献３記載の先端具は、挿着部を楔形状で且つ拡縮自在の構造として、先端から操作されるボルトによって挿着部を拡径される構造である。
【０００６】
このように差込タイプの先端具には、抜け止め構造を採用する必要があるが、構造が複雑になると製造原価が高くなると共に、装着作業が煩瑣になる。また相応の堅牢さと、市場流通を考慮すると軽量性も求められる。
【０００７】
そこで本発明は、簡易な構造で抜け止め機能を備えた新規なパイプ支柱用先端具を提案したものである。
【課題を解決するための手段】
【０００８】
本発明の請求項１記載に係るパイプ支柱用先端具は、適宜な弾性を備えた板部が放射状に配置され、上方部分にパイプ挿入部を備え、下方部分は装着対象のパイプ支柱のパイプ厚に対応した段差を介して経大とし、下端を尖らした刺入部を設けたものであって、挿入部が、中央側に割り溝孔を形成すると共に、外周側を凹凸形状の抜け止め辺に形成してなることを特徴とするものである。
【０００９】
而して前記の先端具は、パイプ支柱に先端開口部分にパイプ挿入部を圧入すると、放射板状に配置されているパイプ挿入部が中心方向に圧せられると共に、凹凸形状の抜け止め辺がパイプ支柱の内周面に食い込み、抜け止め機能を発揮して装着される。先端具を装着したパイプ支柱は、尖った刺入部を先端に備えることになり、土中への差込作業（杭打ち作業）が容易になる。
【００１０】
また特に本発明の請求項２記載に係るパイプ支柱用先端具は、各々パイプ挿入部及び刺入部を備えた第一及び第二の２枚の板部材で構成され、第一板部材に、割り溝孔に連続する受入溝孔を設け、第二板部材には下方端が開口する嵌合溝孔を設け、前記第二部材を第一部材の上方から差し入れて交差状に組み合わせてなるものである。
【００１１】
従って先端具全体を樹脂成型加工や鋳造で一体に形成した先端具（本発明の一実施態様）よりも、分解状態での運搬収納が可能であり、嵩張らない利点がある。
【００１２】
また本発明の請求項３記載に係るパイプ支柱用先端具は、第一板部材と第二板部材を交差状に組み合わせると共に、組み合わせ状態で交差状態を保持する保持部を設けてなるもので、交差状態（直角また斜交）に組み合わせた状態が保持されることで、パイプ支柱への装着作業並びに杭打ち作業を確実に行えるようにするものである。
【発明の効果】
【００１３】
本発明の構成は上記のとおりで、板部を放射状に配置した簡単な構造で、パイプ支柱先端に挿入部を圧入することで、簡単に抜け止め状態で装着することができる先端具を提供したものである。
【図面の簡単な説明】
【００１４】
【図１】本発明の第一実施例の部材図。
【図２】同組み立て図。
【図３】同装着状態の説明図。
【図４】同第二実施例の部材図。
【図５】同組み立て図。
【図６】同第三実施例の部材図。
【図７】同組み立て図。
【図８】同第四実施例の部材図。
【図９】同使用状態の説明図。
【発明を実施するための形態】
【００１５】
次に本発明の実施形態について説明する。実施形態としては、器具全体を樹脂成型加工や鋳造で一体に形成し、或いは所定の部材を組み立てて形成することができる。一体成型品の外形は、部材が組みあがった状態の形状をそのまま採用すれば良いので、以下に部材を採用した実施例を示す。
【００１６】
図１乃至図３は第一実施例を示したもので、第一板部材ａ１と第二板部材ｂ１で構成される。第一板部材ａ１及び第二板部材ｂ１は、所定の強度・弾性を備えた金属板や樹脂板で形成したもので、上方部分をパイプ挿入部１とし、下方部分を刺入部２としたものである。
【００１７】
パイプ挿入部１は、中央に割り溝孔１１と、割り溝孔１１の下方に幅狭部１２を形成する割り孔１３を設け、その外側辺は、上方向に向かって順目となり下方向に向かって逆目となる山形状の抜け止め辺１４に形成してなり、前記抜け止め辺１４の幅は、装着対象のパイプ支柱Ａの内径より僅かに大きくする。尚抜け止め辺１４は、抜け止め抵抗機能を発揮すれば良いので、前記の山形状の他に波形状等の他の凹凸形状を採用しても良い。
【００１８】
刺入部２は、全体が下端を尖らした三角形状で、上端幅が装着対象のパイプ支柱Ａの外径と一致させ、若しくは大きくし、挿入部１との境界部分を段差２１とし、側辺２２を直線状として、先端２３をやや丸くしたものである。
【００１９】
特に第一板部材ａ１と第二板部材ｂ１は、交差状に組み合わせるもので、第一板部材ａ１には、割り溝孔１１に連続する受入溝孔３を設け、第二板部材ｂ１には下方端が開口する嵌合溝孔４を設けたものである。前記の受入溝孔３及び嵌合溝孔４の溝幅は、板部材の厚さに対応させたものである。
【００２０】
更に第一板部材ａ１と第二板部材ｂ１を交差状に組み合わせた際に、交差状態を保持する保持機能構造を設けたもので、第一板部材ａ１には受入溝孔３の端縁に保持突部５ａを設け、第二板部材ｂ１には、割り溝孔１１の下方部分の端縁に保持突部５ｂを設けたものである。両保持突部５ａ，５ｂは、受入溝孔３及び割り溝孔１１からの切り起こしで形成するものである。
【００２１】
而して第二板部材ｂ１を第一板部材ａ１の上方から差し入れて交差状に組み合わせて、パイプ支柱Ａの先端開口部分にパイプ挿入部１を圧入して装着する。特に前記装着状態では、放射板状に配置されているパイプ挿入部１が中心方向に圧せられると共に、山形状の抜け止め辺１４の各突出先端がパイプ支柱Ａの内周面に食い込み、抜け止め機能を発揮する。
【００２２】
このように先端具を装着したパイプ支柱Ａは、尖った刺入部２を先端に備えることになり、土中への差込作業（杭打ち作業）を容易に行えるものであり、再使用に際しても前記の抜け止め機能並びに保持機能構造（保持突部５ａ，５ｂ）によって土中から引き抜いても装着状態を保持し、再使用可能となるものである。
【００２３】
次に図４，５に示した第二実施例は、第二板部材ｂ２が刺入部２の高さが相違し、且つ側辺２２を非直線状（曲線）としたものであり、第一板部材ａ１と第二板部材ｂ２の先端位置をずらすことで、土中への差込時の最初の抵抗を少なくし、また側辺２２を曲線状とすることで、幅広として強度を増すと共に、パイプ支柱Ａの捻じれ抵抗を大きくすることができる。
【００２４】
また図６，７に示した第三実施例は、保持機能構造として、第一板部材ａ３及び第二板部材ｂ３に保持板部６ａ，６ｂを設けたものである。保持板部６ａ，６ｂは、各刺入部２ａの両側縁を表裏に折曲して形成したもので、その形状は、第一板部材ａ３と第二板部材ｂ３を交差状に組み合わせた際に、角錐状或いは円錐状の先端形状となるようにしたものである。
【００２５】
従ってこの第三実施例は、パイプ支柱Ａに装着するとパイプ支柱Ａの先端が錐形状となるので、土中への差込作業に際しての抵抗が少なく作業が容易になる。勿論パイプ支柱Ａ内への土砂の侵入も防止される。
【００２６】
図８，９に示した第四実施例は、第一実施例の板部材において保持突部５ａ，５ｂを備えない第一板部材ａ４及び第二板部材ｂ４と、保持機能構造として保持円板体７を採用したものである。
【００２７】
保持円板体７は、段差外径に対応する円板状で、第一板部材ａ４及び第二板部材ｂ４のパイプ挿入部１が挿通される交差長孔７１を設けたもので、交差状に組み合わせた第一板部材ａ４と第二板部材ｂ４に挿着して、パイプ支柱Ａの開口先端に挿入装着したもので、装着状態では保持円板体７は、パイプ支柱Ａの先端と段差２１との間に挟まれて一体化するもので、第一板部材ａ４及び第二板部材ｂ４の交差状態保持と共に、パイプ支柱Ａ内への土砂の侵入も防止される。
【００２８】
尚本発明は前記実施例に限定されるものでは無く、種々の板部材を組み合せて形成しても良く、また組み合わせた構造に対応した一体形成の器具としても良い。
【符号の説明】
【００２９】
ａ１，ａ３，ａ４    第一板部材
ｂ１，ｂ２，ｂ３，ｂ４    第二板部材
１    パイプ挿入部
１１      割り溝孔
１２      幅狭部
１３    割り孔
１４    抜け止め辺
２，２ａ    刺入部
２１      段差
２２    側辺
２３    先端
３      受入溝孔
４        嵌合溝孔
５ａ，５ｂ    保持突部
６ａ，６ｂ    保持板部
７      保持円板体
７１    交差長孔
Ａ      パイプ支柱
【図１】
2017131113.tif 000003
【図２】
2017131113.tif 000004
【図３】
2017131113.tif 000005
【図４】
2017131113.tif 000006
【図５】
2017131113.tif 000007
【図６】
2017131113.tif 000008
【図７】
2017131113.tif 000009
【図８】
2017131113.tif 000010
【図９】
2017131113.tif 000011